(57)【要約】【課題】ろ布本体の破れおよびスクリムの抜けを防止することができる集塵用フィルタを提供する。【解決手段】パルスジェット式集塵機に用いられる、ろ布取付口元部とろ布本体とからなる集塵用フィルタであって、前記ろ布本体の上端部を折り返して形成される折り返し部が前記ろ布取付口元部の下端部に接合されている。前記折り返し部は、作業性を考慮して1つ折りが好ましい。また、折り返しは内側および外側のいずれでもよい。【選択図】図１
2006320858.tif 000002
【特許請求の範囲】
【請求項１】
パルスジェット式集塵機に用いられる、ろ布取付口元部とろ布本体とからなる集塵用フィルタであって、前記ろ布本体の上端部を折り返して形成される折り返し部が前記ろ布取付口元部の下端部に接合されてなることを特徴とする集塵用フィルタ。
【請求項２】
前記接合が縫い合わせによる接合である請求項１記載の集塵用フィルタ。
【発明の詳細な説明】
【技術分野】
【０００１】
本発明は集塵用フィルタに関する。さらに詳しくは、パルスジェット式集塵機に用いられる集塵用フィルタに関する。
【背景技術】
【０００２】
従来より、作業環境の向上のためにダスト（粉塵）を含む空気からダストをろ過して清浄な空気に変える集塵機が用いられている。かかる集塵機としては、たとえば、キャビネット内に配設されたセルプレートに配列される複数のフィルタと、該キャビネットに固着される圧縮空気供給用のヘッダーパイプと、該ヘッダーパイプにバルブ部およびJベンドを介して接続されるマニーホールドと、該マニーホールドに設けられる複数のノズルとを備えるパルスジェット式集塵機がある。
【０００３】
このパルスジェット式集塵機において、前記フィルタは各ノズルに対応させて配置されている。また、この集塵機においては、使用につれてフィルタにダストが付着するとともに、堆積して集塵性能が低下していくので、定期的に高温の圧縮空気を前記ヘッダーパイプ、Jベンドおよびマニーホールドへ送ったのち、ノズルから前記フィルタの内部に吹き付けて、該フィルタのダストの払い落とし（逆洗）を行っている。
【０００４】
また、前記フィルタは、ダストの種類や集塵効率、メンテナンスなどを考慮して、形状としては円筒状または断面略星型など適宜選定され、取付け構造も適宜選定されている。たとえば円筒状のフィルタの場合、ろ布取付口元部と該口元部の下部に重ねて縫い合わされるろ布本体とから構成されており、また、前記ろ布取付口元部を孔の開いた板状の前記セルプレートに固定することにより、前記ろ布本体がぶら下がる状態になるように取り付けている（非特許文献１参照）。
【０００５】
【非特許文献１】社団法人日本粉体工業技術協会、「集塵の技術と装置」、日刊工業新聞社
【発明の開示】
【発明が解決しようとする課題】
【０００６】
前記フィルタは、ろ布取付口元部とろ布本体とを一体で製造することが困難であるため、ろ布取付口元部とろ布本体とを別々に製造したのち、最終工程にて前記ろ布本体がろ布取付口元部の下部に縫い合わされている。
【０００７】
このろ布取付口元部には、ろ布本体の自重および捕集したダストの重量がかかるともに、逆洗時、圧縮空気による衝撃力がかかることにより、ろ布取付口元部とろ布本体との縫合力（接合力）が弱いため、縫合部にてろ布本体が破れるという問題がある。
【０００８】
また、前記フィルタとして、とくに高温ガス用フィルタは耐熱性が必要であるため、糸の交点で接着剤によって定位置に保持されているたて糸およびよこ糸の格子からなるスクリムにポリテトラフルオロエチレン（ＰＴＦＥ）を使用した不織布が用いられることが多い。
【０００９】
しかしながら、前記ポリテトラフルオロエチレンは摩擦係数が低いため、ろ布本体の縫合幅（接合部）が短いと、ろ布本体の自重および捕集したダストの重量や、圧縮空気による衝撃力などによって生じる引張り力によりスクリムが抜けやすくなるという問題がある。
【００１０】
そこで、本発明は、叙上の事情に鑑み、ろ布本体の破れおよびスクリムの抜けを防止することができる集塵用フィルタを提供することを目的とする。
【課題を解決するための手段】
【００１１】
本発明の集塵用フィルタは、パルスジェット式集塵機に用いられる、ろ布取付口元部とろ布本体とからなる集塵用フィルタであって、前記ろ布本体の上端部を折り返して形成される折り返し部が前記ろ布取付口元部の下端部に接合されてなることを特徴としている。
【発明の効果】
【００１２】
本発明によれば、ろ布本体の折り返し部がろ布取付口元部に重ねられて、接合されているため、ろ布取付口元部とろ布本体との縫合力を高めることができる。このため、ろ布本体とろ布取付口元部とを一体に製造したフィルタと同等の強度を有するため、ろ布本体の破れおよびスクリムの抜けを防止することができる。
【発明を実施するための最良の形態】
【００１３】
以下、添付図面に基づいて本発明の集塵用フィルタを説明する。
【００１４】
本発明の集塵用フィルタは、たとえば、ゴミ焼却炉から発生する排ガス中のダストや窒素酸化物などの成分を除去するために、工場設備に設けられるパルスジェット式集塵機に適用することができる。このパルスジェット式集塵機は、キャビネット内に配設されたセルプレートに配列される複数の集塵用フィルタと、該キャビネットに固着される圧縮空気供給用のヘッダーパイプと、該ヘッダーパイプにバルブ部およびJベンドを介して接続されるマニーホールドと、該マニーホールドに設けられる複数のノズルとを少なくとも備えている。また、窒素酸化物を除去する場合、脱硝手段や、アンモニア添加手段などを適宜配置させるのが好ましい。
【００１５】
前記パルスジェット式集塵機では、集塵運転によって前記集塵用フィルタのろ布本体に付着したダストを払い落して、集塵性能（集塵効率）を向上させるために、該ろ布本体の内部に圧縮空気を定期的に吹き込んでいる。
【００１６】
本発明の一実施の形態にかかわる集塵フィルタＡは、図１に示されるように、ろ布取付口元部１とろ布本体１０とから構成されている。
【００１７】
前記ろ布取付口元部１は、セルプレートの孔縁部に嵌合して固定される部分であり、上端部２に凸部を形成するように下部端３を折り重ねるとともに、上端部２の外周に環状凹部４が形成されている口元本体５と、前記凸部に保持されているパッキン６およびスナップリング７とから構成されている。また、前記下端部３には接合幅が確保されている。この接合幅における糸８の配列（縫い目）としては、前記ろ布本体１０との接合力（縫合力）を向上させるために、本発明においては、適宜選定することができるが、本実施の形態では、ろ布取付口元部１の周方向の縫い目の数が４本に配列されている。なお、該パッキン６およびスナップリング７はセルプレートの孔からのろ布の抜け防止、セルプレートの孔とろ布を密着させるという作用をさせるために保持されており、前記ろ布取付口元部１は、セルプレートの孔縁部に対して、環状凹部４を嵌合して固定される。
【００１８】
前記ろ布本体１０は、上端部１１が外側に折り返して形成される折り返し部１２を有している。この折り返し部１２は、複数に折り曲げて成形することができるが、作業性などを考慮して1つ折りとするのが好ましい。前記ろ布本体１０は、折り返し部１２を前記ろ布取付口元部１の下端部３に重ねたのち、糸８により縫い合わされて、該ろ布取付口元部１にぶら下がる状態で取り付けられている。かかる糸８の種類としては、ポリテトラフルオロエチレン（ＰＴＦＥ）、ポリエステル、ガラス、セルメック、耐熱ナイロンなどを用いることができる。
【００１９】
また、本発明は、ろ布本体１０の上端部１１が外側に折り返して形成される折り返し部１２を有している集塵用フィルタＡに限定されるものではなく、図２に示されるように、ろ布本体３１の上端部３２を内側に折り返して形成される折り返し部３３とする集塵用フィルタＢとすることができる。
【００２０】
なお、前記実施の形態の集塵用フィルタＡ、Ｂにおけるろ布本体１０、３１は、円筒状を呈しているが、本発明においては、とくにこれに限定されるものではなく、断面略星型や封筒型などの適宜の形状に選定することができる。ろ布本体の形状として、円筒以外の形状を採用する場合には、ろ布取付口元部の下端部の形状をろ布本体の形状に合わせて適宜選定する。
【００２１】
また、本発明において、前記集塵用フィルタＡ、Ｂにおけるろ布本体の材質としては、とくに限定されるものではなく、スクリムにポリテトラフルオロエチレン（ＰＴＦＥ）を使用した不織布、ポリエステル繊維、木綿、ポリプロピレン、ポリアクリロニトリル、脂肪族ポリアミド、芳香族ポリアミド、ポリフェニレンサルファイドまたはガラスなどを適宜選定することができる。
【００２２】
さらに、前記実施の形態では、ろ布本体の折り返し部とろ布取付口元部の下端部とが縫い合わせ（縫合）により接合されているが、本発明においては、これに限定されるものではなく、たとえば縫合と接着剤などとの組み合わせまたは別途補強材を用いて接合させることもできる。
【００２３】
以上、説明したとおり、本発明によれば、ろ布本体の折り返し部がろ布取付口元部に重ねられて、接合されているため、ろ布取付口元部とろ布本体との縫合力を高めることができる。このため、ろ布本体とろ布取付口元部とを一体に製造したフィルタと同等の強度を有するため、ろ布本体の破れおよびスクリムの抜けを防止することができる。
【００２４】
また、本発明によれば、製造工程にて大幅な変更を加えることなく、充分な縫合力（接合力）を有する集塵用フィルタを製造することができる。
【図面の簡単な説明】
【００２５】
【図１】本発明の一実施の形態にかかわる集塵用フィルタの要部断面の拡大図である。
【図２】本発明の他の実施の形態にかかわる集塵用フィルタの要部断面の拡大図である。
【符号の説明】
【００２６】
１              ろ布取付口元部
２、１１、３２  上端部
３              下部端
４              環状凹部
５              口元本体
６              パッキン
７              スナップリング
８              糸
１０、３１      ろ布本体
１２、３３      折り返し部
Ａ、Ｂ          集塵用フィルタ
【図１】
2006320858.tif 000003
【図２】
2006320858.tif 000004